(57)【特許請求の範囲】
【請求項１】
ノンリニアアクセス可能な記録媒体を用いてデータの記録及び／または再生を行う記録再生手段と、
外部から入力したデータを所定レートで圧縮して前記記録再生手段に転送するとともに該所定レートよりも低レートで圧縮して前記記録再生手段に転送する少なくとも１つの入力部と、前記記録再生手段から転送されたデータを記憶手段に一時的に記憶し、該記憶手段から読み出したデータを伸長して外部に出力する少なくとも１つの出力部とを有し、前記入力部及び前記出力部はそれぞれ割り当てられたタイムスロット内に前記記録再生手段との間での前記転送を行う入出力処理手段と、
前記入力部において前記所定レートで圧縮されたデータを、前記記録媒体の第１の領域内の個々の空き領域に、それぞれ当該空き領域に書き込める長さのデータずつ記録させ、前記入力部において前記低レートで圧縮されたデータを、前記記録媒体の前記第１の領域とは異なる第２の領域内の個々の空き領域に、それぞれ当該空き領域に書き込める長さのデータずつ記録させる記録制御手段と、
通常速度での再生時には、前記第１の領域に記録されたデータを前記記録媒体から再生させ、少なくともシャトル再生時には、シャトル再生の対象となるデータが記録されている不連続な領域を含む前記第２の領域内の連続した領域のデータを前記記録媒体から再生させる再生制御手段と
を備え、
前記出力部は、少なくともシャトル再生時には、前記再生制御手段によって再生されて前記記憶手段に記憶された前記連続した領域のデータのうち、シャトル再生の対象となる不連続な領域のデータのみを前記記憶手段から読み出す
データ記録再生装置。
【請求項２】
請求項１に記載のデータ記録再生装置において、
前記第１の領域でのデータの記録位置と前記第２の領域でのデータの記録位置とを対応させた管理情報を作成する管理手段
をさらに備えており、
前記再生制御手段は、前記管理情報に基づき、切り替え時に記録位置の割り出しを行う
データ記録再生装置。
【請求項３】
請求項１または２に記載のデータ記録再生装置において、
前記入力部に、前記所定レートでデータを圧縮する第１の圧縮手段と、前記低レートでデータを圧縮する第２の圧縮手段とが設けられている
データ記録再生装置。
【請求項４】
請求項１または２に記載のデータ記録再生装置において、
前記入力部に、前記所定レートでデータを圧縮するとともに前記低レートでデータを圧縮する、スケーラビリティを有する符号化方式の圧縮手段が設けられている
データ記録再生装置。
【請求項５】
ノンリニアアクセス可能な記録媒体を用いてデータの記録及び／または再生を行う記録再生手段と、
外部から入力したデータを非圧縮で前記記録再生手段に転送するとともに圧縮して前記記録再生手段に転送する少なくとも１つの入力部と、前記記録再生手段から転送されたデータを記憶手段に一時的に記憶し、該記憶手段から読み出したデータを伸長して外部に出力する少なくとも１つの出力部とを有し、前記入力部及び前記出力部はそれぞれ割り当てられたタイムスロット内に前記記録再生手段との間での前記転送を行う入出力処理手段と、
前記入力部から非圧縮で前記記録再生手段に転送されたデータを、前記記録媒体の第１の領域内の個々の空き領域に、それぞれ当該空き領域に書き込める長さのデータずつ記録させ、前記入力部から圧縮されて前記記録再生手段に転送されたデータを、前記記録媒体の前記第１の領域とは異なる第２の領域内の個々の空き領域に、それぞれ当該空き領域に書き込める長さのデータずつ記録させる記録制御手段と、
通常速度での再生時には、前記第１の領域に記録されたデータを前記記録媒体から再生させ、少なくともシャトル再生時には、シャトル再生の対象となるデータが記録されている不連続な領域を含む前記第２の領域内の連続した領域のデータを前記記録媒体から再生させる再生制御手段と
を備え、
前記出力部は、少なくともシャトル再生時には、前記再生制御手段によって再生されて前記記憶手段に記憶された前記連続した領域のデータのうち、シャトル再生の対象となる不連続な領域のデータのみを前記記憶手段から読み出す
データ記録再生装置。
【請求項６】
請求項５に記載のデータ記録再生装置において、
前記第１の領域でのデータの記録位置と前記第２の領域でのデータの記録位置とを対応させた管理情報を作成する管理手段
をさらに備えており、
前記再生制御手段は、前記管理情報に基づき、切り替え時に記録位置の割り出しを行う
データ記録再生装置。
【請求項７】
ノンリニアアクセス可能な記録媒体を用いてデータの記録及び／または再生を行う記録再生手段と、
外部からデータを入力して前記記録再生手段に転送する少なくとも１つの入力部と、前記記録再生手段から転送されたデータを記憶手段に一時的に記憶し、該記憶手段から読み出したデータを外部に出力する少なくとも１つの出力部とを有し、前記入力部及び前記出力部はそれぞれ割り当てられたタイムスロット内に前記記録再生手段との間での前記転送を行う入出力処理手段と
を備えたデータ記録再生装置におけるデータの記録再生方法において、
外部から前記入力部に入力したデータを、所定レートで圧縮して前記記録再生手段に転送するとともに該所定レートよりも低レートで圧縮して前記記録再生手段に転送する第１ステップと、
前記所定レートで圧縮されたデータを、前記記録媒体の第１の領域内の個々の空き領域に、それぞれ当該空き領域に書き込める長さのデータずつ記録し、前記低レートで圧縮されたデータを、前記記録媒体の前記第１の領域とは異なる第２の領域内の個々の空き領域に、それぞれ当該空き領域に書き込める長さのデータずつ記録する第２ステップと、
通常速度での再生時には、前記第１の領域に記録されたデータを前記記録媒体から再生させ、少なくともシャトル再生時には、シャトル再生の対象となるデータが記録されている不連続な領域を含む前記第２の領域内の連続した領域のデータを前記記録媒体から再生させる第３ステップと、
少なくともシャトル再生時には、前記第３ステップで再生されて前記出力部の前記記憶手段に記憶された前記連続した領域のデータのうち、シャトル再生の対象となる不連続な領域のデータのみを前記記憶手段から読み出す第４ステップと、を含む
データの記録再生方法。
【請求項８】
請求項７に記載のデータの記録再生方法において、
前記第１の領域でのデータの記録位置と前記第２の領域でのデータの記録位置とを対応させた管理情報を作成するステップ
をさらに含み、
前記第３ステップでは、前記管理情報に基づき、切り替え時に記録位置の割り出しを行う
データの記録再生方法。
【請求項９】
ノンリニアアクセス可能な記録媒体を用いてデータの記録及び／または再生を行う記録再生手段と、
外部からデータを入力して前記記録再生手段に転送する少なくとも１つの入力部と、前記記録再生手段から転送されたデータを記憶手段に一時的に記憶し、該記憶手段から読み出したデータを外部に出力する少なくとも１つの出力部とを有し、前記入力部及び前記出力部はそれぞれ割り当てられたタイムスロット内に前記記録再生手段との間での前記転送を行う入出力処理手段と
を備えたデータ記録再生装置におけるデータの記録再生方法において、
外部から前記入力部に入力したデータを、非圧縮で前記記録再生手段に転送するとともに圧縮して前記記録再生手段に転送する第１ステップと、
前記非圧縮のデータを、前記記録媒体の第１の領域内の個々の空き領域に、それぞれ当該空き領域に書き込める長さのデータずつ記録し、前記圧縮したデータを、前記記録媒体の前記第１の領域とは異なる第２の領域内の個々の空き領域に、それぞれ当該空き領域に書き込める長さのデータずつ記録する第２ステップと、
通常速度での再生時には、前記第１の領域に記録されたデータを前記記録媒体から再生させ、少なくともシャトル再生時には、シャトル再生の対象となるデータが記録されている不連続な領域を含む前記第２の領域内の連続した領域のデータを前記記録媒体から再生させる第３ステップと、
少なくともシャトル再生時には、前記第３ステップで再生されて前記出力部の前記記憶手段に記憶された前記連続した領域のデータのうち、シャトル再生の対象となる不連続な領域のデータのみを前記記憶手段から読み出す第４ステップと、を含む
データの記録再生方法。
【請求項１０】
請求項９に記載のデータの記録再生方法において、
前記第１の領域でのデータの記録位置と前記第２の領域でのデータの記録位置とを対応させた管理情報を作成するステップ
をさらに含み、
前記第３ステップでは、前記管理情報に基づき、切り替え時に記録位置の割り出しを行う
データの記録再生方法。
【請求項１１】
ノンリニアアクセス可能な記録媒体を用いてデータの記録及び／または再生を行う記録再生手段と、
外部からデータを入力して前記記録再生手段に転送する少なくとも１つの入力部と、前記記録再生手段から転送されたデータを記憶手段に一時的に記憶し、該記憶手段から読み出したデータを外部に出力する少なくとも１つの出力部とを有し、前記入力部及び前記出力部はそれぞれ割り当てられたタイムスロット内に前記記録再生手段との間での前記転送を行う入出力処理手段と
を備えたデータ記録再生装置におけるデータの記録再生方法において、
外部から前記入力部に入力したデータを、所定レートで圧縮して前記記録再生手段に転送する第１ステップと、
前記圧縮したデータを、前記記録媒体の第１の領域内の個々の空き領域に、それぞれ当該空き領域に書き込める長さのデータずつ記録する第２ステップと、
前記記録媒体の前記第１の領域から再生したデータを、前記入力部に入力させて前記所定レートで再度圧縮して前記記録再生手段に転送する第３ステップと、
前記再度圧縮したデータを、前記記録媒体の前記第１の領域とは異なる第２の領域内の個々の空き領域に、それぞれ当該空き領域に書き込める長さのデータずつ記録する第４ステップと、
通常速度での再生時には、前記第１の領域に記録されたデータを前記記録媒体から再生させ、少なくともシャトル再生時には、シャトル再生の対象となるデータが記録されている不連続な領域を含む前記第２の領域内の連続した領域のデータを前記記録媒体から再生させる第５ステップと、
少なくともシャトル再生時には、前記第５ステップで再生されて前記出力部の前記記憶手段に記憶された前記連続した領域のデータのうち、シャトル再生の対象となる不連続な領域のデータのみを前記記憶手段から読み出す第６ステップと
データの記録再生方法。
【請求項１２】
請求項１１に記載のデータの記録再生方法において、
前記第１の領域でのデータの記録位置と前記第２の領域でのデータの記録位置とを対応させた管理情報を作成するステップ
をさらに含み、
前記第５ステップでは、前記管理情報に基づき、切り替え時に記録位置の割り出しを行う
データの記録再生方法。
【発明の詳細な説明】
【０００１】
【発明の属する技術分野】
本発明は、例えばＡＶサーバのような、ノンリニアアクセス可能な記録媒体を用いてデータの記録・再生を行う記録再生手段を有するとともに複数の入力部及び出力部がそれぞれに割り当てられたタイムスロット内に記録再生手段との間でのデータ転送を行うデータ記録再生装置に関する。また本発明は、こうしたデータ記録再生装置におけるデータの記録再生方法に関する。
【０００２】
【従来の技術】
近年、ＣＡＴＶ（ケーブルテレビ）等の普及による情報提供の多チャンネル化に伴い、従来のＶＴＲ（ビデオテープレコーダ）とは異なり、１台の映像・音声データ記録再生装置で複数の映像・音声データ（以下「ＡＶデータ」と呼ぶ）を同時に記録したり、再生したり、さらには記録しながら再生したり等の要求が高まりつつある。そして、この要求を満たすためにハードディスク等のランダムアクセス可能な記録媒体を用いて映像・音声を記録再生するビデオサーバ（またはＡＶ（Ａｕｄｉｏ    ａｎｄ／ｏｒ  Ｖｉｄｅｏ）サーバとも呼ばれる）と呼ばれる装置が普及しつつある。
【０００３】
一般的に、放送局内におけるＡＶサーバは、画質や音質に対する要求から、必要とされるデータの転送レートが高い上に長時間のデータを記録するために大容量である必要がある。そこで、ＡＶデータを蓄積するとともに並列処理が可能な複数のハードディスク（以下「ＨＤ」と呼ぶ）装置を含むデータ記録再生装置を用いることによりデータの転送レートの高速化と大容量化を図る試みや、さらにパリティデータを記録しておくことにより、万一いずれかのＨＤ装置が故障しても信頼性を確保できるようにする試みがなされている。
【０００４】
これにより、放送局が提供しようとしている番組の内容や放送形態により要求されているチャンネル数が異なる場合であっても、複数のＡＶデータからなる素材データを分散的に記録しておき多チャンネル送出を同時に行ったり、同一の素材データを再生時間をずらして多チャンネルで再生することにより、ＶＯＤ（ビデオオンデマンド）やＮＶＯＤ（ニアビデオオンデマンド）等のシステムを構築する等、多様な使用形態に対応することのできるマルチチャンネルＡＶサーバを実現することができる。
【０００５】
このようなＡＶサーバに用いられるデータ記録再生装置には、１９８８年Ｐａｔｔｅｒｓｏｎ等によって発表された論文（‘A Case for Redundant Arrays of Inexpensive Disks（RAID）’, ACM SIGMOND Conference, Chicago, III, Jun.1-3,1988. ）に提唱されている複数のＨＤからなるハードディスクドライブ（以下「ＨＤＤ」と呼ぶ）をさらに複数台用いて構成されたＲＡＩＤ（Redundant Arra  ys of Inexpensive Disks ）技術が用いられている。
【０００６】
上記論文の中でＲＡＩＤは、ＲＡＩＤ−１からＲＡＩＤ−５まで５つに分類されている。ＲＡＩＤ−１は２つのＨＤＤに同じ内容を書き込む方式である。ＲＡＩＤ−３は、入力データを一定の長さに分割して複数のＨＤＤに記録するとともに、各ＨＤＤの互いに対応するデータブロックの排他的論理和であるパリティデータを生成して他の１台のＨＤＤに書き込む方式である。さらにＲＡＩＤ−５は、データの分割単位（ブロック）を大きくして、１つの分割データをデータブロックとして１つのＨＤＤに記録するとともに、各ＨＤＤの互いに対応するデータブロックの排他的論理和をとった結果（パリティデータ）をパリティブロックとして他のＨＤＤに記録するとともにパリティブロックを他のＨＤＤに分散する方式である。
その他のＲＡＩＤについては上記論文を参照されたい。
【０００７】
このＡＶサーバで複数のＡＶデータの同時記録・再生を行うためには、複数のチャンネルで同時にＡＶデータの入出力を行う必要がある。そこで、ＡＶサーバには、互いに独立して動作する複数の入出力ポートが設けられており、１つの入力ポート，出力ポートがそれぞれ１チャンネル分の入力，出力を行うようになっている。
【０００８】
しかし、各入出力ポートが全く同時にデータ記録再生装置との間でＡＶデータの転送を行うと、ＡＶサーバ内部で各入出力ポートとデータ記録再生装置とを接続しているバスにそれらのＡＶデータが同時に流れることになるので、処理しきれなくなる。そこで、各入出力ポートに、バスの使用を許可するタイムスロット（＝時間間隔）を順番に割り当て、各入出力ポートが、それぞれ割り当てられたタイムスロット内でのみバスを介してデータ記録再生装置との間でのＡＶデータの転送を行うようになっている。したがって、厳密にいえば複数のＡＶデータが同時に記録・再生されているわけではないが、タイムスロットよりも長い時間間隔でみると、複数のＡＶデータの同時記録・再生が実現されているといってよい。
【０００９】
図４は、このタイムスロットの一例を、入出力ポート数が１０である場合について示すものである。各入出力ポートＰ０〜Ｐ９に、それぞれ３フレーム分のタイムスロットＳＬ０〜ＳＬ９が順番に繰り返し（すなわち３０フレームのタイムスロット周期で）割り当てられている。
各入出力ポートＰ０〜Ｐ９は、それぞれこの割り当てられたタイムスロットＳＬ０〜ＳＬ９内でのみバスを介してデータ記録再生装置との間でのＡＶデータの転送を行い、１回のタイムスロット内で転送を完了しなかったＡＶデータは、次回のタイムスロットまで待って転送する。
【００１０】
【発明が解決しようとする課題】
ところで、十分な画質や音質を得るためにはＡＶデータを高いビットレートでＨＤに記録することが必要であるため、放送局用のＡＶサーバでは、ＡＶデータのビットレートをなるべく低下させないようにするために、入力ポートにおいて、入力したＡＶデータを、高い圧縮レートで圧縮してデータ記録再生装置に転送したり、あるいは非圧縮で（入力したままのビットレートで）データ記録再生装置に転送したりしている。
【００１１】
しかし、特にシャトル再生を行う場合には、ＨＤ上の多数の不連続な領域からフレーム単位やＧＯＰ（Group of Picture）単位でデータを再生するためのシーク動作によるロスタイムが頻繁に発生するので、ＨＤに記録されるＡＶデータのビットレートが高いと、１回のタイムスロット内に転送できるフレームやＧＯＰの数が制約され、次回のタイムスロットを転送を待たなければならないことが多くなることにより、フレーム更新率が低下してしまう。
【００１２】
また、こうしたフレーム更新率の低下は、シャトル再生時と同様にＨＤ上の不連続な領域からデータを再生する可変速再生時にも生じる。
そのため、従来のＡＶサーバでは、例えばＶＴＲと比較して、シャトル再生時や可変速再生時の操作性があまりよくなかった。
【００１３】
本発明は、上述の点に鑑み、ＡＶサーバをはじめとする、ノンリニアアクセス可能な記録媒体を用いてデータの記録・再生を行う記録再生手段を有するとともに複数の入力部及び出力部がそれぞれに割り当てられたタイムスロット内に記録再生手段との間でのデータ転送を行うデータ記録再生装置において、シャトル再生や可変速再生のように記録媒体上の複数の不連続な領域からデータを再生する場合のフレーム更新率を向上させることを課題としてなされたものである。
【００１４】
【課題を解決するための手段】
この課題を解決するために、本出願人は、請求項１に記載のように、ノンリニアアクセス可能な記録媒体を用いてデータの記録及び／または再生を行う記録再生手段と、外部から入力したデータを所定レートで圧縮して記録再生手段に転送するとともにこの所定レートよりも低レートで圧縮して記録再生手段に転送する少なくとも１つの入力部と、記録再生手段から転送されたデータを記憶手段に一時的に記憶し、記憶手段から読み出したデータを伸長して外部に出力する少なくとも１つの出力部とを有し、入力部及び出力部はそれぞれ割り当てられたタイムスロット内に記録再生手段との間での転送を行う入出力処理手段と、入力部においてこの所定レートで圧縮されたデータを、記録媒体の第１の領域内の個々の空き領域に、それぞれ当該空き領域に書き込める長さのデータずつ記録させ、入力部においてこの低レートで圧縮されたデータを、記録媒体のこの第１の領域とは異なる第２の領域内の個々の空き領域に、それぞれ当該空き領域に書き込める長さのデータずつ記録させる記録制御手段と、通常速度での再生時には、第１の領域に記録されたデータを記録媒体から再生させ、少なくともシャトル再生時には、シャトル再生の対象となるデータが記録されている不連続な領域を含む第２の領域内の連続した領域のデータを記録媒体から再生させる再生制御手段とを備え、出力部は、少なくともシャトル再生時には、再生制御手段によって再生されて記憶手段に記憶された連続した領域のデータのうち、シャトル再生の対象となる不連続な領域のデータのみを記憶手段から読み出すデータ記録再生装置を提案する。
【００１５】
このデータ記録再生装置では、外部から入力したデータは、入力部において所定レート（換言すればそのデータ記録再生装置における標準の圧縮レート）で圧縮されて記録再生手段に転送されて記録制御手段の制御のもとで記録媒体の第１の領域内の個々の空き領域に、それぞれ当該空き領域に書き込める長さのデータずつ記録されるとともに、入力部においてこの標準圧縮レートよりも低いレートで圧縮されて記録再生手段に転送されて記録制御手段の制御のもとで記録媒体の第２の領域内の個々の空き領域に、それぞれ当該空き領域に書き込める長さのデータずつ記録される。
【００１６】
そして、少なくともシャトル再生時には、再生制御手段の制御のもとで、シャトル再生の対象となるデータが記録されている不連続な領域を含む第２の領域内の連続した領域のデータが記録媒体から再生されて記録再生手段から出力部に転送され、出力部の記憶手段に一時的に記憶される。そして、出力部において、この連続した領域のデータのうち、シャトル再生の対象となる不連続な領域のデータのみが記憶手段から読み出されて外部に出力される。
【００１７】
このように、データ記録再生装置に入力された同一のデータが、リアルタイムに標準圧縮レートで記録されるとともに低圧縮レートで記録され、少なくともシャトル再生時には低圧縮レートのデータのほうを再生することにより、標準圧縮レートのデータを再生する場合よりも１回のタイムスロット内に転送されるフレームやＧＯＰの数が多くなるので、フレーム更新率が向上する。また、シャトル再生時には低圧縮レートのデータを再生するので、シャトル再生の対象となる不連続な領域を含む連続した領域のデータを全て再生するのに要する時間のほうが、不連続な領域をシークして再生するのに要する時間よりも短くなることもある。そこで、これらの不連続な領域を含む第２の領域内の連続した領域のデータを再生し、出力部の側でそのうちのシャトル再生の対象となる不連続な領域のデータのみを記憶手段から読み出すことにより、フレーム更新率をより一層向上させることができる。
【００１８】
また、例えばＡＶサーバにおいても、シャトル再生時のように記録媒体上の複数の不連続な領域からデータを再生する場合には、通常の速度での再生時におけるほどの画質や音質は要求されないので、このように標準圧縮レートよりも低い圧縮レートで記録したデータ（すなわち通常の速度での再生時用のデータよりも低いビットレートで記録したデータ）を再生しても実用上問題がない。
【００１９】
なお、このデータ記録再生装置に、一例として請求項２に記載のように、第１の領域でのデータの記録位置と第２の領域でのデータの記録位置とを対応させた管理情報を作成する管理手段をさらに備え、再生制御手段に、この管理情報に基づいて切り替え時に記録位置の割り出しを行わせるようにすることが好適である。
【００２０】
それにより、第１の領域のデータの再生を行っている最中に第２の領域のデータの再生に切り替えるときに、現在再生中の第１の領域内のデータと同一のデータの第２の領域内での記録位置を正確に割り出して第２の領域からデータを再生することや、第２の領域のデータの再生を行っている最中に第１の領域のデータの再生に切り替えるときに、現在再生中の第２の領域内のデータと同一のデータの第１の領域内での記録位置を正確に割り出して第１の領域からデータを再生することができるようになる。
【００２１】
したがって、例えば、通常の速度での再生を行っている最中にシャトル再生や可変速再生に切り替えるときに、現在再生中の第１の領域内のデータと同一のデータの第２の領域内での記録位置を正確に割り出してそのデータを第２の領域から再生することができるようになり、また、シャトル再生や可変速再生を行っている最中に通常の速度での再生に切り替えるときにも、現在再生中の第２の領域内のデータと同一のデータの第１の領域内での記録位置を正確に割り出してそのデータを第１の領域から再生することができるようになる。
【００２２】
また、入力部においてデータを標準レートで圧縮するとともに低レートで圧縮するためには、一例として請求項３に記載のように、入力部に、所定レートでデータを圧縮する第１の圧縮手段と、低レートでデータを圧縮する第２の圧縮手段とを設けるようにすればよい。
【００２３】
あるいはまた、請求項４に記載のように、入力部に、スケーラビリティを有する符号化方式の圧縮手段を１つだけ設け、この圧縮手段に、スケーラビリティを利用してデータを標準レートで圧縮させるとともに低レートで圧縮させるようにしてもよい。それにより、入力部に２つの圧縮手段を設ける場合よりも小型化及び低コスト化が実現される。
【００２４】
次に、本出願人は、請求項５に記載のように、ノンリニアアクセス可能な記録媒体を用いてデータの記録及び／または再生を行う記録再生手段と、外部から入力したデータを非圧縮で記録再生手段に転送するとともに圧縮して記録再生手段に転送する少なくとも１つの入力部と、記録再生手段から転送されたデータを記憶手段に一時的に記憶し、記憶手段から読み出したデータを外部に出力する少なくとも１つの出力部とを有し、入力部及び出力部はそれぞれ割り当てられたタイムスロット内に記録再生手段との間での転送を行う入出力処理手段と、入力部から非圧縮で記録再生手段に転送されたデータを、記録媒体の第１の領域内の個々の空き領域に、それぞれ当該空き領域に書き込める長さのデータずつ記録させ、入力部から圧縮されて記録再生手段に転送されたデータを、記録媒体のこの第１の領域とは異なる第２の領域内の個々の空き領域に、それぞれ当該空き領域に書き込める長さのデータずつ記録させる記録制御手段と、通常速度での再生時には、第１の領域に記録されたデータを記録媒体から再生させ、少なくともシャトル再生時には、シャトル再生の対象となるデータが記録されている不連続な領域を含む第２の領域内の連続した領域のデータを記録媒体から再生させる再生制御手段とを備え、出力部は、少なくともシャトル再生時には、再生制御手段によって再生されて記憶手段に記憶された連続した領域のデータのうち、シャトル再生の対象となる不連続な領域のデータのみを記憶手段から読み出すデータ記録再生装置を提案する。
【００２５】
このデータ記録再生装置では、外部から入力したデータは、入力部において非圧縮で（換言すればそのデータ記録再生装置における標準レートで）記録再生手段に転送されて記録制御手段の制御のもとで記録媒体の第１の領域内の個々の空き領域にそれぞれ当該空き領域に書き込める長さのデータずつ記録されるとともに、入力部において圧縮されて（すなわち標準レートよりも低いレートで）記録再生手段に転送されて記録制御手段の制御のもとで記録媒体の第２の領域内の個々の空き領域にそれぞれ当該空き領域に書き込める長さのデータずつ記録される。
【００２６】
そして、少なくともシャトル再生時には、再生制御手段の制御のもとで、シャトル再生の対象となるデータが記録されている不連続な領域を含む第２の領域内の連続した領域のデータが記録媒体から再生されて記録再生手段から出力部に転送され、出力部の記憶手段に一時的に記憶される。そして、出力部において、この連続した領域のデータのうち、シャトル再生の対象となる不連続な領域のデータのみが記憶手段から読み出されて外部に出力される。
【００２７】
このように、データ記録再生装置に入力された同一のデータが、リアルタイムに非圧縮で記録されるとともに圧縮されて記録され、少なくともシャトル再生時には圧縮データのほうを再生することにより、非圧縮のデータを再生する場合よりも１回のタイムスロット内に転送されるフレームやＧＯＰの数が多くなるので、フレーム更新率が向上する。また、シャトル再生時には圧縮データを再生するので、シャトル再生の対象となる不連続な領域を含む連続した領域のデータを全て再生するのに要する時間のほうが、不連続な領域をシークして再生するのに要する時間よりも短くなることもある。そこで、これらの不連続な領域を含む第２の領域内の連続した領域のデータを再生し、出力部の側でそのうちのシャトル再生の対象となる不連続な領域のデータのみを記憶手段から読み出すことにより、フレーム更新率をより一層向上させることができる。
【００２８】
なお、このデータ記録再生装置でも、一例として請求項６に記載のように、第１の領域でのデータの記録位置と第２の領域でのデータの記録位置とを対応させた管理情報を作成する管理手段をさらに備え、再生制御手段に、この管理情報に基づいて切り替え時に記録位置の割り出しを行わせるようにすることが好適である。
【００２９】
それにより、やはり、第１の領域と第２の領域とのうちの一方のデータの再生を行っている最中に他方のデータの再生に切り替えるときに、その一方の領域内のデータと同一のデータのその他方の領域内での記録位置を正確に割り出してその他方の領域からデータを再生することができるようになる。
【００３０】
次に、本出願人は、請求項７に記載のように、ノンリニアアクセス可能な記録媒体を用いてデータの記録及び／または再生を行う記録再生手段と、外部からデータを入力して記録再生手段に転送する少なくとも１つの入力部と、記録再生手段から転送されたデータを記憶手段に一時的に記憶し、記憶手段から読み出したデータを外部に出力する少なくとも１つの出力部とを有し、入力部及び出力部はそれぞれ割り当てられたタイムスロット内に記録再生手段との間での転送を行う入出力処理手段とを備えたデータ記録再生装置におけるデータの記録再生方法において、外部から入力したデータを、所定レートで圧縮して記録再生手段に転送するとともにこの所定レートよりも低レートで圧縮して記録再生手段に転送する第１ステップと、この所定レートで圧縮されたデータを、記録媒体の第１の領域内の個々の空き領域に、それぞれ当該空き領域に書き込める長さのデータずつ記録し、この低レートで圧縮されたデータを、記録媒体のこの第１の領域とは異なる第２の領域内の個々の空き領域に、それぞれ当該空き領域に書き込める長さのデータずつ記録する第２ステップと、通常速度での再生時には、第１の領域に記録されたデータを記録媒体から再生させ、少なくともシャトル再生時には、シャトル再生の対象となるデータが記録されている不連続な領域を含む第２の領域内の連続した領域のデータを記録媒体から再生させる第３ステップと、少なくともシャトル再生時には、第３ステップで再生されて出力部の記憶手段に記憶された連続した領域のデータのうち、シャトル再生の対象となる不連続な領域のデータのみをこの記憶手段から読み出す第４ステップとを含んだものを提案する。
【００３１】
このデータ記録再生方法では、外部から入力したデータを、入力部において、所定レート（換言すればそのデータ記録再生装置における標準の圧縮レート）で圧縮して記録再生手段に転送して記録媒体の第１の領域内の個々の空き領域にそれぞれ当該空き領域に書き込める長さのデータずつ記録するとともに、この標準圧縮レートよりも低レートで圧縮して記録再生手段に転送して記録媒体の第２の領域内の個々の空き領域にそれぞれ当該空き領域に書き込める長さのデータずつ記録する。そして、少なくともシャトル再生時には、シャトル再生の対象となるデータが記録されている不連続な領域を含む第２の領域内の連続した領域のデータを再生させ、出力部に転送されて記憶手段に記憶されたこの連続した領域のデータのうちシャトル再生の対象となる不連続な領域のデータのみをこの記憶手段から読み出す。
【００３２】
このように、データ記録再生装置に入力された同一のデータを、リアルタイムに標準圧縮レートで記録するとともに低圧縮レートで記録し、少なくともシャトル再生時には低圧縮レートのデータのほうを再生することにより、標準圧縮レートのデータを再生する場合よりも１回のタイムスロット内に転送されるフレームやＧＯＰの数が多くなるので、フレーム更新率が向上する。また、シャトル再生時には低圧縮レートのデータを再生するので、シャトル再生の対象となる不連続な領域を含む連続した領域のデータを全て再生するのに要する時間のほうが、不連続な領域をシークして再生するのに要する時間よりも短くなることもある。そこで、これらの不連続な領域を含む第２の領域内の連続した領域のデータを再生し、出力部の側でそのうちのシャトル再生の対象となる不連続な領域のデータのみを記憶手段から読み出すことにより、フレーム更新率をより一層向上させることができる。
【００３３】
なお、このデータ記録再生方法に、一例として請求項８に記載のように、第１の領域でのデータの記録位置と第２の領域でのデータの記録位置とを対応させた管理情報を作成するステップをさらに含め、第３ステップでは、この管理情報に基づいて切り替え時に記録位置の割り出しを行うようにすることが好適である。
【００３４】
それにより、第１の領域と第２の領域とのうちの一方のデータの再生を行っている最中に他方のデータの再生に切り替えるときに、その一方の領域内のデータと同一のデータのその他方の領域内での記録位置を正確に割り出してその他方の領域からデータを再生することができるようになる。
【００３５】
次に、本出願人は、請求項９に記載のように、ノンリニアアクセス可能な記録媒体を用いてデータの記録及び／または再生を行う記録再生手段と、外部からデータを入力して記録再生手段に転送する少なくとも１つの入力部と、記録再生手段から転送されたデータを記憶手段に一時的に記憶し、記憶手段から読み出したデータを外部に出力する少なくとも１つの出力部とを有し、入力部及び出力部はそれぞれ割り当てられたタイムスロット内に記録再生手段との間での転送を行う入出力処理手段とを備えたデータ記録再生装置におけるデータの記録再生方法において、外部から入力したデータを、非圧縮で記録再生手段に転送するとともに圧縮して記録再生手段に転送する第１ステップと、この非圧縮のデータを、記録媒体の第１の領域内の個々の空き領域に、それぞれ当該空き領域に書き込める長さのデータずつ記録し、この圧縮したデータを、記録媒体のこの第１の領域とは異なる第２の領域内の個々の空き領域に、それぞれ当該空き領域に書き込める長さのデータずつ記録する第２ステップと、通常速度での再生時には、第１の領域に記録されたデータを記録媒体から再生させ、少なくともシャトル再生時には、シャトル再生の対象となるデータが記録されている不連続な領域を含む第２の領域内の連続した領域のデータを記録媒体から再生させる第３ステップと、少なくともシャトル再生時には、第３ステップで再生されて出力部の記憶手段に記憶された連続した領域のデータのうち、シャトル再生の対象となる不連続な領域のデータのみをこの記憶手段から読み出す第４ステップとを含んだものを提案する。
【００３６】
このデータ記録再生方法では、外部から入力したデータを、入力部において、非圧縮で（換言すればそのデータ記録再生装置における標準レートで）記録再生手段に転送して記録媒体の第１の領域内の個々の空き領域にそれぞれ当該空き領域に書き込める長さのデータずつ記録するとともに、圧縮して（すなわち標準レートよりも低いレートで）記録再生手段に転送して記録媒体の第２の領域内の個々の空き領域にそれぞれ当該空き領域に書き込める長さのデータずつ記録する。そして、少なくともシャトル再生時には、シャトル再生の対象となるデータが記録されている不連続な領域を含む第２の領域内の連続した領域のデータを再生させ、出力部に転送されて記憶手段に記憶されたこの連続した領域のデータのうちシャトル再生の対象となる不連続な領域のデータのみをこの記憶手段から読み出す。
【００３７】
このように、データ記録再生装置に入力された同一のデータを、リアルタイムに非圧縮で記録するとともに圧縮して記録し、少なくともシャトル再生時には圧縮データのほうを再生することにより、非圧縮のデータを再生する場合よりも１回のタイムスロット内に転送されるフレームやＧＯＰの数が多くなるので、フレーム更新率が向上する。また、シャトル再生時には圧縮データを再生するので、シャトル再生の対象となる不連続な領域を含む連続した領域のデータを全て再生するのに要する時間のほうが、不連続な領域をシークして再生するのに要する時間よりも短くなることもある。そこで、これらの不連続な領域を含む第２の領域内の連続した領域のデータを再生し、出力部の側でそのうちのシャトル再生の対象となる不連続な領域のデータのみを記憶手段から読み出すことにより、フレーム更新率をより一層向上させることができる。
【００３８】
なお、このデータ記録再生方法にも、一例として請求項１０に記載のように、第１の領域でのデータの記録位置と第２の領域でのデータの記録位置とを対応させた管理情報を作成するステップをさらに含め、第３ステップでは、この管理情報に基づいて切り替え時に記録位置の割り出しを行うようにすることが好適である。
【００３９】
それにより、やはり、第１の領域と第２の領域とのうちの一方のデータの再生を行っている最中に他方のデータの再生に切り替えるときに、その一方の領域内のデータと同一のデータのその他方の領域内での記録位置を正確に割り出してその他方の領域からデータを再生することができるようになる。
【００４０】
次に、本出願人は、請求項１１に記載のように、ノンリニアアクセス可能な記録媒体を用いてデータの記録及び／または再生を行う記録再生手段と、外部からデータを入力して記録再生手段に転送する少なくとも１つの入力部と、記録再生手段から転送されたデータを記憶手段に一時的に記憶し、記憶手段から読み出したデータを外部に出力する少なくとも１つの出力部とを有し、入力部及び出力部はそれぞれ割り当てられたタイムスロット内に記録再生手段との間での転送を行う入出力処理手段とを備えたデータ記録再生装置におけるデータの記録再生方法において、外部から入力したデータを、所定レートで圧縮して記録再生手段に転送する第１ステップと、この圧縮したデータを、記録媒体の第１の領域内の個々の空き領域に、それぞれ当該空き領域に書き込める長さのデータずつ記録する第２ステップと、記録媒体のこの第１の領域から再生したデータを、入力部に入力させてこの所定レートで再度圧縮して記録再生手段に転送する第３ステップと、この再度圧縮したデータを、記録媒体の第１の領域とは異なる第２の領域内の個々の空き領域に、それぞれ当該空き領域に書き込める長さのデータずつ記録する第４ステップと、通常速度での再生時には、第１の領域に記録されたデータを記録媒体から再生させ、少なくともシャトル再生時には、シャトル再生の対象となるデータが記録されている不連続な領域を含む第２の領域内の連続した領域のデータを記録媒体から再生させる第５ステップと、少なくともシャトル再生時には、第５ステップで再生されて出力部の記憶手段に記憶された連続した領域のデータのうち、シャトル再生の対象となる不連続な領域のデータのみをこの記憶手段から読み出す第６ステップとを含んだものを提案する。
【００４１】
このデータ記録再生方法では、外部から入力したデータを、入力部において所定レート（換言すればそのデータ記録再生装置における標準の圧縮レート）で圧縮して記録再生手段に転送して記録媒体の第１の領域内の個々の空き領域にそれぞれ当該空き領域に書き込める長さのデータずつ記録し、その後、第１の領域から再生したデータを、入力部に入力させて標準圧縮レートで再度圧縮して（したがって合計で標準圧縮レートよりも低い圧縮レートで圧縮して）記録再生手段に転送して記録媒体の第２の領域内の個々の空き領域にそれぞれ当該空き領域に書き込める長さのデータずつ記録する。そして、少なくともシャトル再生時には、シャトル再生の対象となるデータが記録されている不連続な領域を含む第２の領域内の連続した領域のデータを再生させ、出力部に転送されて記憶手段に記憶されたこの連続した領域のデータのうちシャトル再生の対象となる不連続な領域のデータのみをこの記憶手段から読み出す。
【００４２】
このように、データ記録再生装置に入力された同一のデータを、リアルタイムにではないが標準圧縮レートで記録した後で低圧縮レートで記録し、少なくともシャトル再生時には低圧縮レートのデータのほうを再生することにより、標準圧縮レートのデータを再生する場合よりも１回のタイムスロット内に転送されるフレームやＧＯＰの数が多くなるので、フレーム更新率が向上する。また、シャトル再生時には低圧縮レートのデータを再生するので、シャトル再生の対象となる不連続な領域を含む連続した領域のデータを全て再生するのに要する時間のほうが、不連続な領域をシークして再生するのに要する時間よりも短くなることもある。そこで、これらの不連続な領域を含む第２の領域内の連続した領域のデータを再生し、出力部の側でそのうちのシャトル再生の対象となる不連続な領域のデータのみを記憶手段から読み出すことにより、フレーム更新率をより一層向上させることができる。
【００４３】
また、入力部に設けた標準圧縮レートの圧縮手段が標準レート圧縮用と低レート圧縮用とに兼用され、入力部に１つだけ圧縮手段を設けれれば足りるようになるので、入力部に２つの圧縮手段を設ける場合よりも小型化及び低コスト化が実現される。
【００４４】
なお、このデータ記録再生方法にも、一例として請求項１２に記載のように、第１の領域でのデータの記録位置と第２の領域でのデータの記録位置とを対応させた管理情報を作成するステップをさらに含め、第５ステップでは、この管理情報に基づいて切り替え時に記録位置の割り出しを行うようにすることが好適である。
【００４５】
それにより、やはり、第１の領域と第２の領域とのうちの一方のデータの再生を行っている最中に他方のデータの再生に切り替えるときに、その一方の領域内のデータと同一のデータのその他方の領域内での記録位置を正確に割り出してその他方の領域からデータを再生することができるようになる。
【００４６】
【発明の実施の形態】
以下では、本発明をＡＶサーバに適用した例について説明する。
図１は、本発明を適用した１入力ポート３出力ポートのＡＶサーバの全体構成を示す。
このＡＶサーバ１には、１つの入力ポート２と、３つの出力ポート３，４，５と、ＲＡＩＤ技術を用いた記録再生部６と、タイミング管理部７と、ファイルシステム８と、制御器９とが設けられている。
【００４７】
入力ポート２及び出力ポート３，４，５は、それぞれ下りバス１０及び上りバス１１を介して記録再生部６と接続されている。また、入力ポート２及び出力ポート３，４，５は、それぞれ制御バス１２を介して制御器９と接続されている。
【００４８】
各入力ポート２及び出力ポート３，４，５には、タイミング管理部７からタイムスロット信号が与えられている。このタイムスロット信号は、下りバス１０及び上りバス１１の使用を許可するタイムスロット（所定フレーム分の時間間隔）を、入力ポート２，出力ポート３，４，５に順番に繰り返し割り当てる信号である。
タイミング管理部７は、ＡＶサーバ１の外部から入力端子Ｒを通して供給される基準ビデオ信号（ＲＥＦ信号）に基づいてこのタイムスロット信号を生成する。
【００４９】
各入力ポート２及び出力ポート３，４，５が、それぞれこのタイムスロット信号によって割り当てられたタイムスロット内でのみ下りバス１０及び上りバス１１を介して記録再生部６との間でのＡＶデータの転送を行うことにより、タイムスロットよりも長い時間間隔でみると、複数のＡＶデータの同時記録・再生が実現される。
【００５０】
入力ポート２には、圧縮器２Ａ及び２Ｂと、多重化器２Ｃと、バッファメモリ２Ｄと、制御器２Ｅとが設けられている。
外部からこのＡＶサーバ１に送られたＡＶデータ（例えば、ネットワークを利用して、ＳＤＩ（Serial Digital Interface：ＳＭＰＴＥ−２５９Ｍとして規格化されている）やＳＤＴＩ（Serial Digital Transfer Interface ：ＳＭＰＴＥ−３０５Ｍとして規格化されている）、さらには非同期伝送フォーマットであるＡ  ＴＭ（Asynchronous Transfer Mode）ファイバチャンネル（Fibre Channel ）等の伝送フォーマットで送られたＡＶデータ）は、入力端子Ｄ１を通して入力ポート  ２の圧縮器２Ａ及び２Ｂに入力される。
【００５１】
圧縮器２Ａ及び２Ｂは、それぞれ所定の符号化方式（例えばＭＰＥＧ）でＡＶデータのビットレートを圧縮するものである。
このうち、圧縮器２Ａではビットレートが５０Ｍｂｐｓにまで圧縮される。この５０Ｍｂｐｓというビットレートは、再生時に十分な画質や音質を得ることのできる高いビットレートであり、この圧縮器２Ａの圧縮レートが、ＡＶサーバ１における標準圧縮レートになっている。
他方、圧縮器２Ｂでは、ビットレートが５Ｍｂｐｓにまで圧縮される。すなわち、圧縮器２Ｂの圧縮レートは、標準圧縮レートの１０分の１になっている。
【００５２】
圧縮器２Ａで５０Ｍｂｐｓのビットレートに圧縮されたＡＶデータと、圧縮器２Ｂで５Ｍｂｐｓのビットレートに圧縮されたＡＶデータとは、多重化器２Ｃに送られる。
多重化器２Ｃは、所定の多重方式（例えばパケット多重方式）でビットストリームを多重化するものであり、５０ＭｂｐｓのＡＶデータと５ＭｂｐｓのＡＶデータとは、この多重化器２Ｃで多重化されて、バッファメモリ２Ｄに送られる。
【００５３】
制御器２Ｅには、ＡＶサーバ１の上位装置（例えばパーソナルコンピュータ）から、入力ポート２の動作を指示する制御信号（例えばシリアルインターフェースの標準規格であるＲＳ−４２２に従った制御信号）が制御端子Ｃ１を通して与えられる。
【００５４】
制御器２Ｅは、入力ポート２全体を制御するものであり、例えばマイクロプロセッサから成っている。制御器２Ｅは、動作の開始を指示する制御信号が与えられると、多重化器２Ｃからバッファメモリ２Ｄに送られたＡＶデータを、バッファメモリ２Ｄに一時的に記憶させる。
【００５５】
また、入力ポート２の動作時には、制御器９により、記録再生部６内の空き領域を示す情報がファイルシステム８から取得される。そして、その空き領域を伝える信号が、制御器９から制御バス１２を介して制御器２Ｅに送られる。
【００５６】
ファイルシステム８は、記録再生部６に現在記録されているＡＶデータのファイル名と、記録再生部６内でそのファイル名のＡＶデータが記録されている領域のアドレスとを対応させて管理すると共に、記録再生部６の現在の空き領域のアドレスを管理するものであり、それらの管理情報（ファイルシステム情報）を作成する制御回路（例えばＣＰＵ）と、この制御回路で作成されたファイルシステム情報を記憶する記憶回路（例えばＲＡＭ）とを含んでいる。
【００５７】
図２に示すように、ファイルシステム８では、ファイルシステム情報として、ファイルエントリ（ＦＥ），レコードエントリ（ＲＥ）及びフリースペースリスト（ＦＳＬ）を作成する。
このうち、ファイルエントリは、各ファイルについて１つ作成されるものであり、ファイル名と、そのファイルについての最初のレコードエントリの先頭位置のアドレスへのポインタ情報（すなわち最初のレコードエントリへのリンク情報）とが書き込まれる。
【００５８】
レコードエントリは、記録再生部６内のＨＤ上で１つのファイルが記録されている連続領域毎に作成される。１つのファイルは、ＨＤ上の空き領域の長さ及び場所の都合でＨＤ上の互いに離れた複数の連続領域に飛び飛びに記録されることが多いので、通常はレコードエントリも複数作成される。
最初の連続記録についてのレコードエントリには、その連続領域の先頭位置のアドレス（すなわちＨＤ上のそのファイルの最初の記録位置のアドレス）を示す先頭位置データと、先頭位置からそのファイルどれだけの長さ連続して記録されているかを示すデータと、次のレコードエントリの先頭位置のアドレスへのポインタ情報（すなわち次のレコードエントリへのリンク情報）とが書き込まれる。
【００５９】
２番目以降の連続記録についてのレコードエントリにも、その連続領域の先頭位置のアドレスを示す先頭位置データと、先頭位置からそのファイルがどれだけの長さ連続して記録されているかを示すデータと、次のレコードエントリの先頭位置のアドレスへのポインタ情報とが書き込まれる。そして、最後のレコードエントリには、このポインタ情報に代えて、その連続領域でファイルの記録が終了していることを示すデータが書き込まれる。
【００６０】
フリースペースリストは、記録再生部６内のＨＤ上のデータが未記録の空き領域を示すためのものであり、個々の空き領域毎に作成される。各フリースペースリストには、空き領域の先頭位置のアドレスを示す先頭位置データと、先頭位置からどれだけの長さのデータを書き込める空き領域が連続して存在しているかを示すデータと、次のフリースペースリストの先頭位置のアドレスへのポインタ情報（すなわち次のフリースペースリストへのリンク情報）とが書き込まれる。
【００６１】
また、ファイルシステム８は、記録再生部６内の領域を、５０ＭｂｐｓのビットレートのＡＶデータの記録用の領域（以下「Ｎ領域」と呼ぶ）と、５ＭｂｐｓのビットレートのＡＶデータの記録用の領域（以下「Ｓ領域」と呼ぶ）との２つの領域に分けて管理し、このＮ領域とＳ領域とのそれぞれについて、ファイルエントリ，レコードエントリ及びフリースペースリストを作成する。
Ｎ領域とＳ領域との区分の仕方しては、例えば、記録再生部６内の各ＨＤＤ毎に、そのＨＤＤの所定範囲の領域をＮ領域とし、残りの領域をＳ領域としている。（あるいは別の例として、記録再生部６内の複数台のＨＤＤのうちの所定台数のＨＤＤの全領域をＮ領域とし、残りの台数のＨＤＤの全領域をＳ領域としてもよい。）
【００６２】
そして、ファイルシステム８は、ファイルシステム情報として、ＡＶサーバ１に入力されて圧縮器２Ａ，２Ｂでそれぞれ５０Ｍｂｐｓ，５Ｍｂｐｓに圧縮された同一のＡＶデータのＮ領域での記録位置とＳ領域での記録位置とを１対１に対応させた情報であるＮ領域・Ｓ領域記録位置情報をも作成する。
【００６３】
制御器９は、ＡＶサーバ１の全体を制御するものであり、例えばマイクロプロセッサから成っている。
制御器９は、入力ポート２の動作時には、ファイルシステム８で作成されるＮ領域及びＳ領域についてのフリースペースリストを取得して、Ｎ領域内の空き領域とＳ領域内の空き領域との両方を示す情報を入力ポート２の制御器２Ｅに送る。
【００６４】
制御器２Ｅは、タイミング管理部７からのタイムスロット信号によって入力ポート２に割り当てられたタイムスロット内に、それまでバッファメモリ２Ｄに一時的に記憶させていたＡＶデータをバッファメモリ２Ｄから読み出し、制御器９から伝えられたＮ領域内の空き領域及びＳ領域内の空き領域への書込みを指示するコマンドをこのＡＶデータに付加して、下りバス１０を介して記録再生部６に転送する。
【００６５】
図３は、記録再生部６の構成の概要を示す。
記録再生部６は、ＲＡＩＤ技術を用いて構築されたものであり、映像データ記録用の複数台のＨＤＤ２１と、音声データ記録用の複数台のＨＤＤ２２と、これらのＨＤＤ２１及び２２を制御するディスクアレイコントローラ２３と、分離器２４を含んでいる。
前述のように、各ＨＤＤ２１，２２の記録領域は、所定範囲の領域がＮ領域となり、残りの領域がＳ領域となっている。
【００６６】
分離器２４は、下りバス１０を介して入力ポート２から転送されたＡＶデータから、５０ＭｂｐｓのＡＶデータと５ＭｂｐｓのＡＶデータとを分離するものである。分離器２４で分離された５０ＭｂｐｓのＡＶデータ及び５ＭｂｐｓのＡＶデータは、ディスクアレイコントローラ２３に送られる。
【００６７】
この記録再生部６では、映像データに関しては例えばＲＡＩＤ−３が採用されており、ディスクアレイコントローラ２３は、ＡＶデータに付加された書込み指示のコマンドに基づき、入力した５０ＭｂｐｓのＡＶデータのうちの映像データを、一定の長さのブロックに分割して１台を除く全てのＨＤＤ２１内のそのコマンドの示すＮ領域内の空き領域に記録し、かつ、それらのＨＤＤ２１の互いに対応するデータブロックの排他的論理和であるパリティデータを生成して残りの１台のＨＤＤ２１内のそのコマンドの示すＮ領域内の空き領域に書き込む。また、入力した５ＭｂｐｓのＡＶデータのうちの映像データを、一定の長さのブロックに分割して１台を除く全てのＨＤＤ２１内のそのコマンドの示すＳ領域内の空き領域に記録し、かつ、それらのＨＤＤ２１の互いに対応するデータブロックの排他的論理和であるパリティデータを生成して残りの１台のＨＤＤ２１内のそのコマンドの示すＳ領域内の空き領域に書き込む。
【００６８】
他方、この記録再生部６では、音声データに関しては例えばＲＡＩＤ−１が採用されてＨＤＤ２２が２台設けられており、ディスクアレイコントローラ２３は、ＡＶデータに付加された書込み指示のコマンドに基づき、入力した５０ＭｂｐｓのＡＶデータのうちの音声データを、２台のＨＤＤ２２内のそのコマンドの示すＮ領域内の空き領域にそれぞれ書き込む。また、入力した５ＭｂｐｓのＡＶデータのうちの音声データを、２台のＨＤＤ２２内のそのコマンドの示すＳ領域内の空き領域にそれぞれ書き込む。
【００６９】
このようにして、ＡＶサーバ１に入力された同一のデータが、リアルタイムに、標準圧縮レートで記録再生部６内のＮ領域に記録されるとともに標準圧縮レートの１０分の１の低圧縮レートで記録再生部６内のＳ領域に記録される。
【００７０】
そして、再生時には、ディスクアレイコントローラ２３は、後述の出力ポート３，４，５からの読出し指示のコマンドに基づき、各ＨＤＤ２１内のそのコマンドの示す領域（Ｎ領域かＳ領域かのいずれか一方）から映像データ及びパリティデータを読み出し、それらの映像データを単一化された後パリティデータを用いてエラー訂正することにより映像データを再生する。また、２台のＨＤＤ２２（１台のＨＤＤ２２に障害がある場合には残りの１台のＨＤＤ２２）内のそのコマンドの示す領域（Ｎ領域かＳ領域かのいずれか一方）から音声データを再生する。そして、再生した映像データと音声データとを多重化し、その多重化したＡＶデータにステータスデータを付加して、出力ポート３，４，５のうち読出し指示のコマンドを発した出力ポートに上りバス１１を介して転送する。
【００７１】
図１に示すように、出力ポート３には、復号器３Ａと、バッファメモリ３Ｂと、制御器３Ｃとが設けられている。出力ポート４，５も、出力ポート３と同一構成のものであり、それぞれ復号器４Ａ，５Ａと、バッファメモリ４Ｂ，５Ｂと、制御器４Ｃ，５Ｃとが設けられている。
【００７２】
制御器３Ｃ，４Ｃ，５Ｃは、それぞれ出力ポート３，４，５全体を制御するものであり、例えばマイクロプロセッサから成っている。
各出力ポート３，４，５の制御器３Ｃ，４Ｃ，５Ｃにも、ＡＶサーバ１の上位装置であるコンピュータ等から、出力ポート３，４，５の動作を指示する制御信号がそれぞれ制御端子Ｃ２，Ｃ３，Ｃ４を通して与えられる。
【００７３】
また、各出力ポート３，４，５の動作時には、ＡＶサーバ１の上位装置であるコンピュータ等から、記録再生部６で再生させて当該出力ポートから出力させるＡＶデータのファイル名を指定するとともに再生の態様（通常の速度での再生、シャトル再生、可変速再生、及びそれらの間での切り替え等）を指示する制御信号が、制御端子Ｃ５を通して制御器９に与えられる。
【００７４】
制御器９は、この制御信号で通常の速度での再生を行うことが指示された場合には、この制御信号で指定されたファイル名に対応した記録再生部６内のＮ領域についてのファイルエントリ及びレコードエントリをファイルシステム８から取得する。そして、Ｎ領域内のこのファイルのＡＶデータが記録されている領域を伝える信号を、制御バス１２を介して当該出力ポートの制御器（例えば出力ポート３では制御器３Ｃ）に送る。
【００７５】
他方、制御器９は、この制御信号でシャトル再生や可変速再生を行うことが指示された場合には、この制御信号で指定されたファイル名に対応した記録再生部６内のＳ領域についてのファイルエントリ及びレコードエントリをファイルシステム８から取得する。そして、Ｓ領域内のこのファイルのＡＶデータが記録されている領域を伝える信号を、制御バス１２を介して当該出力ポートの制御器に送る。
【００７６】
また、制御器９は、通常の速度での再生が行われている最中にシャトル再生や可変速再生への切り替えがこの制御信号で指示された場合には、記録再生部６からＡＶデータに付加されて当該出力ポートに転送されているステータスデータを当該出力ポートの制御器から制御バス１２を介して取得することにより、Ｎ領域内の現在再生中の記録位置のアドレスを取得する。そして、この現在再生中のＮ領域内のＡＶデータと同一のＡＶデータのＳ領域内での記録位置を、ファイルシステム８で作成される前述のＮ領域・Ｓ領域記録位置情報を参照することによって割り出す。そして、この割り出したＳ領域内の記録位置を伝える信号を、制御バス１２を介して当該出力ポートの制御器に送る。
【００７７】
また、制御器９は、シャトル再生や可変速再生が行われている最中に通常の速度での再生への切り替えがこの制御信号で指示された場合には、このステータスデータを取得することによりＳ領域内の現在再生中のＡＶデータの記録位置のアドレスを取得し、この現在再生中のＳ領域内のＡＶデータと同一のＡＶデータのＮ領域内での記録位置をＮ領域・Ｓ領域記録位置情報を参照することによって割り出し、この割り出したＮ領域内の記録位置を伝える信号を制御バス１２を介して当該出力ポートの制御器に送る。
【００７８】
制御器３Ｃ，４Ｃ，５Ｃは、動作の開始を指示する制御信号が与えられると、タイミング管理部７からのタイムスロット信号によって出力ポート３，４，５に割り当てられたタイムスロット内に、制御器９から伝えられた領域からのＡＶデータの再生及び転送を指示するコマンドを、それぞれ下りバス１０を介して記録再生部６に送る。
【００７９】
そして、制御器３Ｃ，４Ｃ，５Ｃは、そのコマンドに基づいて記録再生部６のディスクアレイコントローラ２３によりＨＤＤ２１，２２から再生されて上りバス１１を介して出力ポート３，４，５に転送されたＡＶデータを、それぞれバッファメモリ３Ｂ，４Ｂ，５Ｂに一時的に記憶させる。
【００８０】
また、各制御器３Ｃ，４Ｃ，５Ｃは、それぞれバッファメモリ３Ｂ，４Ｂ，５Ｂに記憶させたＡＶデータを順次読み出していき、この読み出されたＡＶデータはそれぞれ復号器３Ａ，４Ａ，５Ａに送られる。
復号器３Ａ，４Ａ，５Ａは、それぞれ入力ポート２の圧縮器２Ａで圧縮されたＡＶデータのビットレートをもとのビットレートにまで伸長するものである。各復号器３Ａ，４Ａ，５Ａで伸長されたＡＶデータは、それぞれ出力端子Ｄ２，Ｄ３，Ｄ４を通してＡＶサーバ１の外部に出力され、例えばネットワークを利用して他の機器に送られる。
【００８１】
次に、このＡＶサーバ１の再生動作を、通常の速度での再生を行う場合と、シャトル再生や可変速再生を行う場合と、通常の速度での再生とシャトル再生や可変速再生との切り替えを行う場合とについてそれぞれ説明する。なお、ここでは出力ポート３からＡＶデータを出力させるものとして説明を行うが、出力ポート４や５からＡＶデータを出力させる際の再生動作もこれと全く同様である。
【００８２】
操作者が、ＡＶサーバ１の上位装置であるコンピュータ等を操作することにより、再生させたいＡＶデータのファイル名を選択するとともに再生の態様として通常の速度での再生を選択すると、そのファイル名を指定するとともに通常の速度での再生を指示する制御信号が、その上位装置から制御端子Ｃ５を通して制御器９に与えられる。
【００８３】
制御器９では、この制御信号で指定されたファイル名に対応した記録再生部６内のＮ領域についてのファイルエントリ及びレコードエントリがファイルシステム８から取得される。そして、Ｎ領域内のこのファイルのＡＶデータが記録されている領域を伝える信号が、制御器９から制御バス１２を介して制御器３Ｃに送られる。
【００８４】
制御器３Ｃからは、出力ポート３に割り当てられたタイムスロット内に、制御器９から伝えられたこのＮ領域内のＡＶデータの記録領域からのＡＶデータの再生及び転送を指示するコマンドが、下りバス１０を介して記録再生部６に送られる。
これにより、記録再生部６では、指定されたファイル名に対応するＮ領域内の５０ＭｂｐｓのＡＶデータが再生され、このＡＶデータが、記録再生部６から上りバス１１を介して出力ポート３に転送される。
【００８５】
そして、この５０ＭｂｐｓのＡＶデータが、バッファメモリ３Ｂに一時的に記憶された後、バッファメモリ３Ｂから順次読み出され、復号器３Ａでもとのビットレートにまで伸長されて、出力端子Ｄ２を通してＡＶサーバ１の外部に出力される。
【００８６】
このようにして、通常の速度での再生時には、標準圧縮レートで圧縮されることにより５０Ｍｂｐｓという十分な画質や音質を得ることのできる高いビットレートで記録されたＡＶデータが再生される。
【００８７】
他方、操作者が、再生させたいＡＶデータのファイル名を選択するとともに再生の態様としてシャトル再生（または可変速再生）及びそのスピードを選択すると、そのファイル名を指定するとともにそのスピードでのシャトル再生（または可変速再生）を指示する制御信号が、制御端子Ｃ５を通して制御器９に与えられる。
【００８８】
制御器９では、この制御信号で指定されたファイル名に対応した記録再生部６内のＳ領域についてのファイルエントリ及びレコードエントリがファイルシステム８から取得される。そして、Ｓ領域内のこのファイルのＡＶデータが記録されている領域を伝える信号が、制御器９から制御バス１２を介して制御器３Ｃに送られる。
【００８９】
制御器３Ｃからは、出力ポート３に割り当てられたタイムスロット内に、制御器９から伝えられたこのＳ領域内のＡＶデータの記録領域からのＡＶデータの再生及び転送を指示するコマンドが、下りバス１０を介して記録再生部６に送られる。
これにより、記録再生部６では、指定されたファイル名に対応するＳ領域内の５ＭｂｐｓのＡＶデータが再生され（すなわちＳ領域内の不連続な領域がシークされてフレーム単位やＧＯＰ単位でデータが再生され）、このＡＶデータが、記録再生部６から上りバス１１を介して出力ポート３に転送される。
【００９０】
そして、この５ＭｂｐｓのＡＶデータが、バッファメモリ３Ｂに一時的に記憶され、例えばシャトル再生時にはそのスピードに応じてバッファメモリ３Ｂから部分的に読み出されることにより駒落し等のデータ加工が行なわれた後、復号器３Ａで伸長されて、出力端子Ｄ２を通してＡＶサーバ１の外部に出力される。
【００９１】
このように、シャトル再生時や可変速再生時には、標準圧縮レートの１０分の１の低い圧縮レートで圧縮されることにより５Ｍｂｐｓという低いビットレートで記録されたＡＶデータが再生されるので、標準圧縮レートで圧縮されたＡＶデータを再生する場合よりも、１回のタイムスロット内に転送されるフレーム数が大幅に増える（理論的には１回のタイムスロット内に転送されるフレーム数が１０倍になる）。
【００９２】
しかも、記録再生部６のＨＤＤ２１，２２の一部の領域であるＳ領域についてのみシーク動作を行えば足りるので、シーク動作によるロスタイムが少なくなる。
したがって、フレーム更新率が大幅に向上するので、シャトル再生時や可変速再生時のＡＶサーバ１の操作性が大幅に改善される。
【００９３】
また、このように１回のタイムスロット内に転送されるフレーム数が増えることにより、シャトル再生時や可変速再生時のバッファメモリ３Ｂでのデータ加工自由度が増すので、例えば単純駒落しや、画像のミキシングや、スライス画の作成等の様々なデータ加工を行えるようになる。
【００９４】
また、このように１回のタイムスロット内に転送されるフレーム数が増えることにより、現在再生中のＡＶデータの前後のＡＶデータが１回のタイムスロット内により多く読み出されるようになるので、再生方向の反転等を行う際の応答性も改善されるようになる。
【００９５】
また、シャトル再生時や可変速再生時には、通常の速度での再生時におけるほどの画質や音質は要求されないので、このように標準圧縮レートよりも低い圧縮レートで記録したＡＶデータ（すなわち通常の速度での再生時用のデータよりも低いビットレートで記録したデータ）を再生しても実用上問題がない。
【００９６】
他方、操作者が、通常の速度での再生が行われている最中に、シャトル再生（または可変速再生）への切り替え及びそのスピードを選択すると、通常の速度での再生からそのスピードでのシャトル再生（または可変速再生）への切り替えを指示する制御信号が、制御端子Ｃ５を通して制御器９に与えられる。
【００９７】
制御器９では、この制御信号に基づき、現在再生中のＮ領域内のＡＶデータと同一のＡＶデータのＳ領域内での記録位置が、ファイルシステム８のＮ領域・Ｓ領域記録位置情報から割り出される。そして、この割り出されたＳ領域内の記録位置を伝える信号が、制御器９から制御バス１２を介して制御器３Ｃに送られる。
【００９８】
制御器３Ｃからは、出力ポート３に割り当てられたタイムスロット内に、制御器９から伝えられたこのＳ領域内のＡＶデータの記録領域からのＡＶデータの再生及び転送を指示するコマンドが、下りバス１０を介して記録再生部６に送られる。
これにより、記録再生部６では、それまで通常の速度での再生が行われていたＮ領域内のＡＶデータに続くＳ領域内のＡＶデータが再生され、このＡＶデータが、記録再生部６から上りバス１１を介して出力ポート３に転送される。
【００９９】
そして、この５ＭｂｐｓのＡＶデータが、バッファメモリ３Ｂに一時的に記憶され、例えばシャトル再生時にはそのスピードに応じてバッファメモリ３Ｂから部分的に読み出されることにより駒落し等のデータ加工が行なわれた後、復号器３Ａで伸長されて、出力端子Ｄ２を通してＡＶサーバ１の外部に出力される。
【０１００】
他方、操作者が、シャトル再生（または可変速再生）が行われている最中に、通常の速度での再生への切り替えを選択すると、シャトル再生（または可変速再生）から通常の速度での再生への切り替えを指示する制御信号が、制御端子Ｃ５を通して制御器９に与えられる。
【０１０１】
制御器９では、この制御信号に基づき、現在再生中のＳ領域内のＡＶデータと同一のＡＶデータのＮ領域内での記録位置が、ファイルシステム８のＮ領域・Ｓ領域記録位置情報から割り出される。そして、この割り出されたＮ領域内の記録位置を伝える信号が、制御器９から制御バス１２を介して制御器３Ｃに送られる。
【０１０２】
制御器３Ｃからは、出力ポート３に割り当てられたタイムスロット内に、制御器９から伝えられたこのＮ領域内のＡＶデータの記録領域からのＡＶデータの再生及び転送を指示するコマンドが、下りバス１０を介して記録再生部６に送られる。
これにより、記録再生部６では、それまでシャトル再生（または可変速再生）が行われていたＳ領域内のＡＶデータに続くＮ領域内のＡＶデータが再生され、このＡＶデータが、記録再生部６から上りバス１１を介して出力ポート３に転送される。
【０１０３】
そして、このＡＶデータが、バッファメモリ３Ｂに一時的に記憶された後、バッファメモリ３Ｂから順次読み出され、復号器３Ａでもとのビットレートにまで伸長されて、出力端子Ｄ２を通してＡＶサーバ１の外部に出力される。
【０１０４】
このように、通常の速度で再生を行っている最中にシャトル再生（または可変速再生）に切り替えるときには、現在再生中のＮ領域内のＡＶデータと同一のＡＶデータのＳ領域内での記録位置が正確に割り出されてそのＡＶデータに続くＡＶデータがシャトル再生や可変速再生され、また、シャトル再生や可変速再生を行っている最中に通常の速度での再生に切り替えるときにも、現在再生中のＳ領域内のＡＶデータと同一のＡＶデータのＮ領域内での記録位置が正確に割り出されてそのＡＶデータに続くＡＶデータが通常の速度で再生される。
【０１０５】
なお、以上の例では、標準圧縮レートが５０ＭｂｐｓのＡＶサーバにおいて、シャトル再生や可変速再生用の圧縮レートを５Ｍｂｐｓにしている。しかし、これに限らず、標準圧縮レートが５０ＭｂｐｓのＡＶサーバにおいて、シャトル再生や可変速再生用の圧縮レートを５０Ｍｂｐｓよりも低い適宜のレートにしたり、標準圧縮レートが５０Ｍｂｐｓ以外ののＡＶサーバにおいて、シャトル再生や可変速再生用の圧縮レートをその標準圧縮レートよりも低い適宜のレートにしたりしてもよいことはもちろんである。
【０１０６】
また、以上の例では、入力ポートにおいて、通常の速度での再生用のＡＶデータを標準圧縮レートで圧縮して記録再生部に転送するとともにシャトル再生や可変速再生用のＡＶデータをそれよりも低い圧縮レートで圧縮して記録再生部に転送し、出力ポートにおいて、標準圧縮レートで圧縮されたＡＶデータのビットレートをもとのビットレートにまで伸長して出力している。
しかし、これに限らず、入力ポートにおいて、通常の速度での再生用のＡＶデータを非圧縮で記録再生部に転送するとともにシャトル再生や可変速再生用のＡＶデータを圧縮して記録再生部に転送し、出力ポートにおいて、ＡＶデータを非伸長のまま出力するようにしてもよい。
【０１０７】
すなわち、図１のＡＶサーバ１において、通常の速度での再生用のＡＶデータを圧縮器２Ａで圧縮させない場合（例えば圧縮器２Ａとして圧縮レートが可変な圧縮器を設けてそのレートを非圧縮に設定する場合や、圧縮器２Ａを迂回させる場合）にも、シャトル再生や可変速再生用のＡＶデータを圧縮器２Ｂで圧縮してよい。
あるいは、通常の速度での再生用のＡＶデータを圧縮する圧縮器を入力ポートに設けていないＡＶサーバにおいて、シャトル再生や可変速再生用のＡＶデータを圧縮する圧縮器を入力ポートに設けるようにしてもよい。
【０１０８】
また、以上の例では、入力ポートに、ＡＶデータを標準圧縮レートで圧縮する圧縮器と低圧縮レートで圧縮する圧縮器との２つの圧縮器を設けている。
しかし、例えばＭＰＥＧ２には、ビットストリームの一部分を残りの部分とは関係なく取り出して復号器で復号できる機能であるスケーラビリティとして、ビットストリームの一部分と残りの部分との空間解像度を異ならしめる空間スケーラビリティや、ビットストリームの一部分と残りの部分との時間解像度を異ならしめる時間スケーラビリティが備わっている。
【０１０９】
そこで、入力ポートに、ＭＰＥＧ２のようなスケーラビリティを有する符号化方式の圧縮器を１つだけ設け、この圧縮器に、スケーラビリティを利用してＡＶデータを標準圧縮レートで圧縮させるとともに低圧縮レートで圧縮させるようにしてもよい。それにより、入力ポートに２つの圧縮器を設ける場合よりも小型化及び低コスト化が実現される。
【０１１０】
また、以上の例では、ＡＶサーバに入力された同一のデータを、リアルタイムに標準圧縮レートで記録するとともに低圧縮レートで記録している。
しかし、記録にリアルタイム性を要しない場合には、ＡＶサーバに入力されたＡＶデータを、入力ポートにおいて標準圧縮レートで圧縮して記録再生部に転送してＮ領域に記録した後、Ｎ領域から再生したＡＶデータを、入力ポートに入力させて標準圧縮レートで再度圧縮して（したがって合計で標準圧縮レートよりも低い圧縮レートで圧縮して）記録再生部に転送してＳ領域に記録するようにしてもよい。
【０１１１】
それにより、入力ポートに設けた標準圧縮レートの圧縮器が標準レート圧縮用と低レート圧縮用とに兼用され、入力ポートに１つだけ圧縮器を設けれれば足りるようになるので、入力ポートに２つの圧縮器を設ける場合よりも小型化及び低コスト化が実現される。
【０１１２】
また、以上の例では、シャトル再生時や可変速再生時にＳ領域からＡＶデータを再生しているが、例えばクリップ画を再生する場合にも、Ｓ領域から再生すれば、１フレーム当たりのビット数が少なくなるので、高速に再生を行うことができるようになる。
【０１１３】
また、以上の例では、シャトル再生時や可変速再生時に、Ｓ領域内の不連続な領域をシークしてフレーム単位やＧＯＰ単位でＡＶデータを再生している。
しかし、Ｓ領域には低いビットレートでＡＶデータが記録されているので、これらの不連続な領域を含む連続した領域のＡＶデータを全て再生するのに要する時間のほうが、不連続な領域をシークして再生するのに要する時間よりの短くなることもある。
【０１１４】
そこで、例えば、シャトル再生時や可変速再生時には、これらの不連続な領域を含むＳ領域内の連続した領域のＡＶデータを全て再生するようにし、出力ポートのバッファメモリの側で、そのうちのこれらの不連続な領域のＡＶデータのみをバッファメモリからデータ加工して読み出すようにしてもよい。
それにより、フレーム更新率をより一層向上させることができるようになる。
【０１１５】
また、以上の例では、シャトル再生時や可変速再生時にはＳ領域からのみＡＶデータを再生している。
しかし、これに限らず、シャトル再生時や可変速再生時にＳ領域とＮ領域とのうちのいずれの領域からＡＶデータを再生するかを、ＡＶサーバ１の上位装置であるコンピュータ等の操作により指定できるようにしてもよい。それにより、シャトル再生時や可変速再生時に操作性と画質とのいずれを重視するかを、任意に選択できるようになる。
【０１１６】
また、本発明は、図１に示した構成のＡＶサーバに限らず、適宜の種類のＡＶサーバに適用してよいことはもちろんである。
例えば、２，３または５以上の入出力ポートを有するＡＶサーバに本発明を適用してもよい。
また例えば、ＭＰＥＧ以外の符号化方式でＡＶデータを圧縮・伸長するＡＶサーバに本発明を適用してもよい。
また例えば、１つのポートが入力ポートとしての機能と出力ポートとしての機能とを併有するＡＶサーバに本発明を適用してもよい。
また例えば、ＲＡＩＤ技術を用いないＨＤＤにＡＶデータを記録するＡＶサーバや、ＨＤ以外のノンリニアアクセス可能な記録媒体（例えば半導体メモリや光ディスク）にＡＶデータを記録するＡＶサーバに本発明を適用してもよい。
また例えば、ＡＶデータを記録・再生する機能に加えてＡＶデータを編集する機能を備えたＡＶサーバに本発明を適用してもよい。
【０１１７】
また、以上の例ではＡＶサーバに本発明を適用しているが、これに限らず、ノンリニアアクセス可能な記録媒体を用いてデータの記録・再生を行う記録再生手段を有するとともに複数の入力部及び出力部がそれぞれに割り当てられたタイムスロット内に記録再生手段との間でのデータ転送を行う適宜の種類のデータ記録再生装置に本発明を適用してよい。
また、本発明は、以上の例に限らず、本発明の要旨を逸脱することなく、その他様々の構成をとりうることはもちろんである。
【０１１８】
【発明の効果】
以上のように、本発明に係る請求項１に記載のデータ記録再生装置によれば、少なくともシャトル再生時には、低圧縮レートのデータのほうを再生することにより、標準圧縮レートのデータを再生する場合よりも１回のタイムスロット内に転送されるフレームやＧＯＰの数が多くなり、また、シャトル再生の対象となる不連続な領域を含む第２の領域内の連続した領域のデータを再生し、出力部の側でそのうちのシャトル再生の対象となる不連続な領域のデータのみを記憶手段から読み出すので、フレーム更新率を向上させることができるという効果が得られる。
【０１１９】
また、請求項２に記載のデータ記録再生装置によれば、第１の領域と第２の領域とのうちの一方のデータの再生を行っている最中に他方のデータの再生に切り替えるときに、その一方の領域内のデータと同一のデータのその他方の領域内での記録位置を正確に割り出してその他方の領域からデータを再生することができるという効果も得られる。
【０１２０】
したがって、例えば、通常の速度での再生を行っている最中にシャトル再生や可変速再生に切り替えるときに、現在再生中の第１の領域内のデータと同一のデータの第２の領域内での記録位置を正確に割り出してそのデータを第２の領域から再生することができるようになり、また、シャトル再生や可変速再生を行っている最中に通常の速度での再生に切り替えるときにも、現在再生中の第２の領域内のデータと同一のデータの第１の領域内での記録位置を正確に割り出してそのデータを第１の領域から再生することができるようになる。
【０１２１】
また、請求項４に記載のデータ記録再生装置によれば、入力部に２つの圧縮手段を設ける場合よりも装置の小型化及び低コスト化を実現できるという効果も得られる。
【０１２２】
次に、本発明に係る請求項５に記載のデータ記録再生装置によれば、少なくともシャトル再生時には、圧縮されたデータのほうを再生することにより、非圧縮のデータを再生する場合よりも１回のタイムスロット内に転送されるフレームやＧＯＰの数が多くなり、また、シャトル再生の対象となる不連続な領域を含む第２の領域内の連続した領域のデータを再生し、出力部の側でそのうちのシャトル再生の対象となる不連続な領域のデータのみを記憶手段から読み出すので、フレーム更新率を向上させることができるという効果が得られる。
【０１２３】
また、請求項６に記載のデータ記録再生装置によれば、第１の領域と第２の領域とのうちの一方のデータの再生を行っている最中に他方のデータの再生に切り替えるときに、その一方の領域内のデータと同一のデータのその他方の領域内での記録位置を正確に割り出してその他方の領域からデータを再生することができるという効果も得られる。
【０１２４】
次に、本発明に係る請求項７に記載のデータの記録再生方法によれば、少なくともシャトル再生時には、低圧縮レートのデータのほうを再生することにより、標準圧縮レートのデータを再生する場合よりも１回のタイムスロット内に転送されるフレームやＧＯＰの数が多くなり、また、シャトル再生の対象となる不連続な領域を含む第２の領域内の連続した領域のデータを再生し、出力部の側でそのうちのシャトル再生の対象となる不連続な領域のデータのみを記憶手段から読み出すので、フレーム更新率を向上させることができるという効果が得られる。
【０１２５】
また、請求項８に記載のデータの記録再生方法によれば、第１の領域と第２の領域とのうちの一方のデータの再生を行っている最中に他方のデータの再生に切り替えるときに、その一方の領域内のデータと同一のデータのその他方の領域内での記録位置を正確に割り出してその他方の領域からデータを再生することができるという効果も得られる。
【０１２６】
次に、本発明に係る請求項９に記載のデータの記録再生方法によれば、少なくともシャトル再生時には、圧縮されたデータのほうを再生することにより、非圧縮のデータを再生する場合よりも１回のタイムスロット内に転送されるフレームやＧＯＰの数が多くなり、また、シャトル再生の対象となる不連続な領域を含む第２の領域内の連続した領域のデータを再生し、出力部の側でそのうちのシャトル再生の対象となる不連続な領域のデータのみを記憶手段から読み出すので、フレーム更新率を向上させることができるという効果が得られる。
【０１２７】
また、請求項１０に記載のデータの記録再生方法によれば、第１の領域と第２の領域とのうちの一方のデータの再生を行っている最中に他方のデータの再生に切り替えるときに、その一方の領域内のデータと同一のデータのその他方の領域内での記録位置を正確に割り出してその他方の領域からデータを再生することができるという効果も得られる。
【０１２８】
次に、本発明に係る請求項１１に記載のデータの記録再生方法によれば、少なくともシャトル再生時には、低圧縮レートのデータのほうを再生することにより、標準圧縮レートのデータを再生する場合よりも１回のタイムスロット内に転送されるフレームやＧＯＰの数が多くなり、また、シャトル再生の対象となる不連続な領域を含む第２の領域内の連続した領域のデータを再生し、出力部の側でそのうちのシャトル再生の対象となる不連続な領域のデータのみを記憶手段から読み出すので、フレーム更新率を向上させることができるという効果が得られる。
【０１２９】
また、請求項１２に記載のデータの記録再生方法によれば、第１の領域と第２の領域とのうちの一方のデータの再生を行っている最中に他方のデータの再生に切り替えるときに、その一方の領域内のデータと同一のデータのその他方の領域内での記録位置を正確に割り出してその他方の領域からデータを再生することができるという効果も得られる。
【図面の簡単な説明】
【図１】本発明を適用したＡＶサーバの構成例を示すブロック図である。
【図２】図１のファイルシステムで作成されるファイルシステム情報の一例を示す図である。
【図３】図１の記録再生部の構成例を示すブロック図である。
【図４】複数の入出力ポートに割り当てられるタイムスロットの一例を示す図である。
【符号の説明】
１  ＡＶサーバ、  ２  入力ポート、  ２Ａ，２Ｂ  圧縮器、  ２Ｃ  多重化器、  ２Ｄ，３Ｂ，４Ｂ，５Ｂ  バッファメモリ、  ２Ｅ，３Ｃ，４Ｃ，５Ｃ，９  制御器、  ３，４，５  出力ポート、  ３Ａ，４Ａ，５Ａ  復号器、  ６  記録再生部、  ７  タイミング管理部、  ８  ファイルシステム、  １０  下りバス、  １１  上りバス、  １２  制御バス、  ２１，２２  ＨＤＤ、  ２３  ディスクアレイコントローラ、  ２４  分離器
【図１】
0004419208.tif 000002
【図２】
0004419208.tif 000003
【図３】
0004419208.tif 000004
【図４】
0004419208.tif 000005